(57)【要約】【課題】  身と蓋とが連続したＢ式紙箱において、身及び蓋とも、コーナー部の剛性を高めて腰を強くする。【解決手段】  折返壁を挟んで、身底壁の周囲に身側壁と身向壁とを起立させた身部分と、蓋天壁の周囲に蓋側壁と蓋向壁とを起立させた蓋部分とを有するＢ式紙箱であり、  身側壁を、第１身側壁の外方に第２身側壁を連接し、それぞれの反折返壁側に第１及び第２身舌片を連接したもので構成し、  蓋側壁を、第１蓋側壁の外方に第２蓋側壁を連接し、それぞれの反折返壁側に第１及び第２蓋舌片を連接したもので構成する一方、  第１身側壁及び第１身舌片に第２身側壁及び第２身舌片を折り返して糊で接着して起立させ、第１身向壁に第１及び第２身舌片を挟んで第２身向壁を折り返して糊で接着して起立させた構成にするとともに、  第１蓋側壁及び第１蓋舌片に第２蓋側壁及び第２蓋舌片を折り返して糊で接着して起立させ、第１蓋向壁に第１及び第２蓋舌片を挟んで第２蓋向壁を折り返して糊で接着して起立させた構成にしたことを特徴とするＢ式紙箱。【選択図】  図１
2006044728.tif 000002
【特許請求の範囲】
【請求項１】
折返壁を挟んで、身底壁の周囲に身側壁と身向壁とを起立させた身部分と、蓋天壁の周囲に蓋側壁と蓋向壁とを起立させた蓋部分とを有するＢ式紙箱であり、
身側壁を、第１身側壁の外方に第２身側壁を連接し、それぞれの反折返壁側に第１及び第２身舌片を連接したもので構成し、
蓋側壁を、第１蓋側壁の外方に第２蓋側壁を連接し、それぞれの反折返壁側に第１及び第２蓋舌片を連接したもので構成する一方、
第１身側壁及び第１身舌片に第２身側壁及び第２身舌片を折り返して糊で接着して起立させ、第１身向壁に第１及び第２身舌片を挟んで第２身向壁を折り返して糊で接着して起立させた構成にするとともに、
第１蓋側壁及び第１蓋舌片に第２蓋側壁及び第２蓋舌片を折り返して糊で接着して起立させ、第１蓋向壁に第１及び第２蓋舌片を挟んで第２蓋向壁を折り返して糊で接着して起立させた構成にしたことを特徴とするＢ式紙箱。
【請求項２】
折返壁を挟んで、身底壁と、その周囲に第１及び第２身側壁と、第１及び第２身側壁の反折返壁側に第１及び第２身舌片と、第１及び第２身向壁とを延設した身部分と、
蓋天壁と、その周囲に第１及び第２蓋側壁と、第１及び第２蓋側壁の反折返壁側に第１及び第２蓋舌片と、第１及び第２蓋向壁とを延設した蓋部分とを展開させた一枚の紙シートを、
身部分及び蓋部分が進行前後となるように移動させ、
第１身側壁と第１身舌片及び第１蓋側壁と第１蓋舌片への糊付け、第２身側壁と第２身舌片及び第２蓋側壁と第２蓋舌片を第１身側壁と第１身舌片及び第１蓋側壁と第１蓋舌片側への折返し、糊付け、起立、接着を連続的に行なうとともに、
移動方向を９０°変更し、
第１身向壁及び第１蓋向壁への糊付け、第１及び第２身舌片と第１及び第２蓋舌片の第１身向壁及び第１蓋向壁側への折曲げ、第１身向壁及び第１蓋向壁を起立させて第２身向壁及び第２蓋向壁を第１及び第２身舌片及び第１及び第２蓋舌片を挟み込んで第１身向壁及び第１蓋向壁側への折返し、接着を連続的に行なうことを特徴とするＢ式紙箱の製函方法。
【請求項３】
第１蓋向壁と第２蓋向壁とに亘って指挿入用の円形孔が形成されている請求項２のＢ式紙箱の製函方法。
【請求項４】
糊がホットメルト糊であり、ノズルから噴射されるものである請求項２又は３のＢ式紙箱の製函方法。
【発明の詳細な説明】
【技術分野】
【０００１】
本発明は、中央の折返壁を挟んで身部分と蓋部分とが一体に（連続して）形成されたＢ式紙箱及びその製函方法に関するものである。
【背景技術】
【０００２】
紙箱には、上記したＢ式紙箱の他に身と蓋とが別体になったＣ式紙箱とがある。それぞれに特徴があり、用途によって使い分けられるが、Ｂ式紙箱の場合、身部分と蓋部分とを同時に製函しなければならないから、機能上、側壁と向壁（両側壁を連絡する壁）とのコーナー部の腰が弱いという欠点がある。このため、側壁と向壁とのコーナー部分を互いに噛み合う噛み合わせ形状にして、これを組み合わせて強度を出したりしていた。しかし、このような複雑な操作は機械（製函機）では無理であり、いきおい、人手に頼らざるを得なかった。したがって、効率が悪く、コストを引き上げていた。
【発明の開示】
【発明が解決しようとする課題】
【０００３】
本発明は、Ｂ式紙箱において、側壁と向壁とが交差するコーナー部の紙数を増やすとともに、それぞれを糊で接着することで、腰を強くして剛性を高めたものである。
【課題を解決するための手段】
【０００４】
以上の課題の下、本発明は、請求項１に記載した、
折返壁を挟んで、身底壁の周囲に身側壁と身向壁とを起立させた身部分と、蓋天壁の周囲に蓋側壁と蓋向壁とを起立させた蓋部分とを有するＢ式紙箱であり、
身側壁を、第１身側壁の外方に第２身側壁を連接し、それぞれの反折返壁側に第１及び第２身舌片を連接したもので構成し、
蓋側壁を、第１蓋側壁の外方に第２蓋側壁を連接し、それぞれの反折返壁側に第１及び第２蓋舌片を連接したもので構成する一方、
第１身側壁及び第１身舌片に第２身側壁及び第２身舌片を折り返して糊で接着して起立させ、第１身向壁に第１及び第２身舌片を挟んで第２身向壁を折り返して糊で接着して起立させた構成にするとともに、
第１蓋側壁及び第１蓋舌片に第２蓋側壁及び第２蓋舌片を折り返して糊で接着して起立させ、第１蓋向壁に第１及び第２蓋舌片を挟んで第２蓋向壁を折り返して糊で接着して起立させた構成にしたことを特徴とするＢ式紙箱
を提供したものである。
【０００５】
また、本発明は、請求項２に記載した、
折返壁を挟んで、身底壁と、その周囲に第１及び第２身側壁と、第１及び第２身側壁の反折返壁側に第１及び第２身舌片と、第１及び第２身向壁とを延設した身部分と、
蓋天壁と、その周囲に第１及び第２蓋側壁と、第１及び第２蓋側壁の反折返壁側に第１及び第２蓋舌片と、第１及び第２蓋向壁とを延設した蓋部分とを展開させた一枚の紙シートを、
身部分及び蓋部分が進行前後となるように移動させ、
第１身側壁と第１身舌片及び第１蓋側壁と第１蓋舌片への糊付け、第２身側壁と第２身舌片及び第２蓋側壁と第２蓋舌片を第１身側壁と第１身舌片及び第１蓋側壁と第１蓋舌片側への折返し、糊付け、起立、接着を連続的に行なうとともに、
移動方向を９０°変更し、
第１身向壁及び第１蓋向壁への糊付け、第１及び第２身舌片と第１及び第２蓋舌片の第１身向壁及び第１蓋向壁側への折曲げ、第１身向壁及び第１蓋向壁を起立させて第２身向壁及び第２蓋向壁を第１及び第２身舌片及び第１及び第２蓋舌片を挟み込んで第１身向壁及び第１蓋向壁側への折返し、接着を連続的に行なうことを特徴とするＢ式紙箱の製函方法。
を提供したものである。
【発明の効果】
【０００６】
請求項１の発明によると、身部分、蓋部分ともに、側壁と向壁とのコーナー部では、側壁に延長される二枚の舌片を向壁で挟み込んで糊付けするものであるから、この部分で紙厚が増すとともに、固定が強固になり、腰が強くて剛性の高いものになる。また、請求項２に発明によると、製函機のコンベア等で搬送する間に折曲げ、折返し、接着ができるから、効率的であり、低コストの紙箱が製造できる。
【発明を実施するための最良の形態】
【０００７】
以下、本発明の実施の形態を図面を参照して説明する。図１は本発明に係るＢ式紙箱の斜視図、図２〜図８はこのＢ式紙箱を製函機で製造する場合の各製函工程の説明図であるが、まず、紙箱を展開した紙シートを用意しておく。この紙シートは、中央の折返壁１を挟んで身部分２と蓋部分３とが連なるものであるが、身部分２については、身底壁４の両側方に第１身側壁５と第２身側壁６とが適当な間隙を有して外方に連なり、向側（折返壁１に対向する側）に第１身向壁７と第２身向壁８とが同様に外方に連なっている。また、第１及び第２身側壁５、６の向壁側には、第１身舌片９と第２身舌片１０が連なっているものであり、トムソン加工によって得られる。
【０００８】
この他、身底壁４と第１及び第２身側壁５、６との境界部には折りを容易にする折線１１、１２が形成され、第１及び第２身舌片との境界部にも折線１３、１４が形成されている。さらに、身底壁４と第１及び第２身向壁との境界部にも折線１５、１６が形成されている。蓋部分３も同様であり、蓋天壁１７の周囲にそれぞれ第１及び第２蓋側壁１８、１９、第１及び第２蓋舌片２０、２１、第１及び第２蓋向壁２２、２３が形成され、各々の境界部には、各折線２４〜２９が形成されている。これにおいて、蓋部分３は身部分２よりも若干サイズを大きくしてあり、身部分２に対して蓋部分３が嵌まり込むようになっている（図２）。
【０００９】
以上の紙シートを製函機のチェンコンベア等で身部分２と蓋部分３とが進行前後に向く状態でその中央側を上下から挟んで搬送する。コンベアの両側には周知の各成形器具（図示省略）が設けられており、身部分２の折線１１、１２と蓋部分３の折線２４、２５を一度折って折癖を付けた後に元に戻し、第１身側壁５と第１身舌片９及び第１蓋側壁１８と第１蓋舌片２２の表面（起立させたときには内面になる）に糊３０を付ける（図３）。なお、この糊３０は、ホットメルト糊を使用し、同じくコンベアに沿って設けられたノズル（図示省略）から噴射する。したがって、糊３０は筋条に付けられる。
【００１０】
次いで、第２身側壁６と第２身舌片１０及び第２蓋側壁１９と第２蓋舌片２３をその折線１２、２５で折って第１身側壁５と第１身舌片９及び第１蓋側壁１８と第１蓋舌片２２の上に重ねて圧着し、各々を接着（糊付け）する。そして、第２身舌片１０と第２蓋舌片２３の表面に糊３１を点噴射した（図４）後、第２身側壁６と第２身舌片１０及び第２蓋側壁１９と第２蓋舌片２３と一体となった第１身側壁５と第１身舌片９及び第１蓋側壁１８と第１蓋舌片２２をその折線１１、２４で折って９０°起立させる（図５）。
【００１１】
以上が終了すると、身部分２と蓋部分３が平行に移動するように搬送方向を９０°変え、まず、第１及び第２身舌片９、１０と第１及び第２蓋舌片２２、２３を第１身向壁７と第１蓋向壁２０の上に来るように９０°折り曲げる。次いで、第１蓋向壁７と第１蓋向壁２０の表面に同じく糊３２を噴射する（図６）。そして、第１身向壁７と第１蓋向壁２０を折線１５、２８で折って９０°に起立させる。さらに、第２身向壁８と第２蓋向壁２１を折線１６、２９で折って第１身向壁７と第１蓋向壁２０の内面に重ねて圧着するのであるが、このとき、第１及び第２身舌片９、１０と第１及び第２蓋舌片２２、２３を挟み込む（図７）。
【００１２】
図９はこの状態を示す説明図であるが、第１及び第２身舌片９、１０と第１及び第２蓋舌片２２、２３は第１及び第２身向壁７、８と第１及び第２蓋向壁２０、２１に挟み込まれるから、この部分の紙は都合４枚になり、紙厚が増して剛性の高いものになる。さらに、このとき、各舌片９、１０、２２、２３は、その両面を糊３１、３２で第１及び第２身向壁７、８と第１及び第２蓋向壁２０、２１に対して糊付けされるから、結合が強固になり、ずれや変形がない。
【００１３】
以上が終了したものは、身底壁４の周囲に第１及び第２身側壁５、６と第１及び第２身向壁７、８が９０°起立した身部分２と蓋天壁１７の周囲に第１及び第２蓋側壁１８、９１と第１及び第２蓋向壁２０、２１が９０°起立した蓋部分３とが折返壁１で繋がったものになる（図８）。これで一応の製函は完了したことになり、後は、折返壁１と身底壁４と蓋天壁１７との境界部に形成された折線３２、３３を折れば、蓋部分３が身部分２の上に被さるＢ式紙箱となる（図１）。
【図面の簡単な説明】
【００１４】
【図１】本発明に係るＢ式紙箱の斜視図である。
【図２】本発明に係るＢ式紙箱の製函工程の状態図である。
【図３】本発明に係るＢ式紙箱の製函工程の状態図である。
【図４】本発明に係るＢ式紙箱の製函工程の状態図である。
【図５】本発明に係るＢ式紙箱の製函工程の状態図である。
【図６】本発明に係るＢ式紙箱の製函工程の状態図である。
【図７】本発明に係るＢ式紙箱の製函工程の状態図である。
【図８】本発明に係るＢ式紙箱の製函工程の状態図である。
【図９】本発明に係るＢ式紙箱の製函工程の状態図である。
【符号の説明】
【００１５】
１    折返壁
２    身部分
３    蓋部分
４    身底壁
５    第１身側壁
６    第２身側壁
７    第１身向壁
８    第２身向壁
９    第１身舌片
１０    第２身舌片
１１    折線
１２    折線
１３    折線
１４    折線
１５    折線
１６    折線
１７    蓋天壁
１８    第１蓋側壁
１９    第２蓋側壁
２０    第１蓋向壁
２１    第２蓋向壁
２２    第１蓋舌片
２３    第２蓋舌片
２４    折線
２５    折線
２６    折線
２７    折線
２８    折線
２９    折線
３０    糊
３１    糊
３２    糊
３３    折線
３４    折線
【図１】
2006044728.tif 000003
【図２】
2006044728.tif 000004
【図３】
2006044728.tif 000005
【図４】
2006044728.tif 000006
【図５】
2006044728.tif 000007
【図６】
2006044728.tif 000008
【図７】
2006044728.tif 000009
【図８】
2006044728.tif 000010
【図９】
2006044728.tif 000011